(57)【要約】【課題】光源としてＬＥＤを用いた照明装置において、表示パネルを所望の輝度で照明する。【解決手段】ＬＥＤ９ａ及び９ｂからの光を導光ロッド８によって線状の光に変換し、導光板４によって線状の光を面状の光に変換して、導光板４に対向配置された表示パネル５を照明する照明装置において、点灯部６内に、導光ロッド８からの漏れ光の光量を検出する光量センサー１０を設けた。ＬＥＤ９ａ及び９ｂを点灯させる点灯装置２は、光量センサー１０で検出した光量を参照して、ＬＥＤ９ａ及び９ｂの光量が所定の範囲内に収まるように、ＬＥＤ電流を調整する。これにより、素子の経時劣化などによる光量の変化を補償して、表示パネル５を所望の輝度で照明することができる。【選択図】図１
2011029033.tif 000002
【特許請求の範囲】
【請求項１】
発光ダイオード及び、底面でこの発光ダイオードと対向し当該発光ダイオードから入射された光を線状の光に変換して側面から出射する導光ロッドを有する点灯部と、側端面で前記導光ロッドの側面と光学的に結合されて、この導光ロッドから入射された線状の光を面状の光に変換して出射する導光板と、この導光板から放射された光によって照明される表示パネルと、商用電源に接続されて前記発光ダイオードを点灯させる点灯装置と、この点灯装置を内部に収容し、前記点灯部及び前記導光板を保持する筐体とを備え、
前記点灯部には、前記導光ロッドからの漏れ光を検出することによって前記発光ダイオードの光量を検出する、光量センサーが備えられており、前記点灯装置は、前記光量センサーで検出した光量が所定の目標範囲内に収まるように、前記点灯部を制御することを特徴とする照明装置。
【請求項２】
前記筐体の内部には二次電池が備えられており、
前記点灯装置は、前記商用電源からの電力供給により前記二次電池を充電する充電回路部と、前記商用電源又は前記二次電池からの電力供給により前記発光ダイオードを点灯させる点灯回路部と、前記発光ダイオードに流すＬＥＤ電流を調整するＬＥＤ電流調整部とを備え、
前記ＬＥＤ電流調整部は、前記光量センサーで検出した光量が所定の目標範囲内に収まるように、前記ＬＥＤ電流を調整することを特徴とする請求項１記載の照明装置。
【請求項３】
前記ＬＥＤ電流調整部は、前記商用電源からの電力供給で前記発光ダイオードを点灯させる場合と、前記二次電池からの電力供給でこの発光ダイオードを点灯させる場合とで、前記光量センサーで検出した光量がそれぞれ異なる目標範囲内に収まるように、前記ＬＥＤ電流を調整することを特徴とする請求項２記載の照明装置。
【請求項４】
前記ＬＥＤ電流調整部は、前記ＬＥＤ電流が所定の上限値を超えたときには前記発光ダイオードへの電力供給をなくすように、或いは前記ＬＥＤ電流が前記上限値を超えないように、前記点灯回路部を制御することを特徴とする請求項２又は３記載の照明装置。
【請求項５】
前記発光ダイオードの近傍には温度検知素子が備えられており、前記ＬＥＤ電流調整部は、前記温度検知素子の検知温度が所定の値を超えた時には、前記発光ダイオードへの電力供給をなくす或いは前記ＬＥＤ電流を少なくするように、前記点灯回路部を制御することを特徴とする請求項２又は３記載の照明装置。
【請求項６】
前記ＬＥＤ電流調整部は、前記商用電源からの電力供給が遮断された場合には、前記発光ダイオードへの電力供給をなくしている場合であっても、前記二次電池からの電力供給によって前記発光ダイオードを点灯させるように前記点灯回路部を制御することを特徴とする請求項４又は５記載の照明装置。
【請求項７】
前記点灯部内には、複数の前記発光ダイオードと、これらに対応した複数の前記光量センサーとが備えられ、前記複数の光量センサーは、対応関係にある前記発光ダイオードの光量をそれぞれ選択的に検出することを特徴とする請求項１〜６のいずれか記載の照明装置。
【請求項８】
前記点灯装置は、前記複数の光量センサーで検出した前記複数の発光ダイオードの光量が、それぞれ略等しくなるように前記点灯部を制御し、
前記導光板から放射される光が場所によらず略均一となるようにしたことを特徴とする請求項７記載の照明装置。
【発明の詳細な説明】
【技術分野】
【０００１】
本発明は、誘導灯などの照明装置において、特に光源に発光ダイオードを用いた照明装置に関するものである。
【背景技術】
【０００２】
従来、導光板の側面に対向するように線状光源を配置し、線状光源から放射された線状（帯状）の光を導光板によって面状の光に変換して、導光板の出射面に対向して配設された表示パネルを照明する照明装置がある。
【０００３】
このような照明装置の線状光源としては、冷陰極ランプ（例えば、特許文献１参照）や、ＬＥＤ（発光ダイオード）を一列に並べて配置したもの（例えば、特許文献２参照）が用いられてきた。
【０００４】
また、線状光源として、柱状の線状導光体と点光源とを用いた照明装置も、提案されている（例えば、特許文献３参照）。本従来例では、ＬＥＤを、線状導光体の底面に対向して配置している。このＬＥＤから放射された光は、底面から線状導光体の内部に入射し、線状導光体の一側面である反射面で反射されて、反射面と対向する出射面から線状に放射される。そして、導光板によって面状の光に変換され、導光板の出射面から放射される。
【０００５】
上記従来例では、光源にＬＥＤを用いることで低消費電力・長寿命が実現され、また、点光源であるＬＥＤの光を線状導光体によって線状の光に変換しているので、線状光源としてＬＥＤを一列に並べて配置した照明装置に比べて、色ムラが発生しにくいという特徴がある。
【先行技術文献】
【特許文献】
【０００６】
【特許文献１】特開２００１−２４９０９号公報
【特許文献２】特開２００８−９８２９０号公報
【特許文献３】特許４１４１７６６号公報
【発明の概要】
【発明が解決しようとする課題】
【０００７】
ところで、一般用照明器具に使用されるＬＥＤの寿命は、ＪＩＬ５００６（白色ＬＥＤ照明器具性能要求事項）にて、全光束または光度が初期値の７０％になったときと定められている。また、一般にＬＥＤの光量は素子毎のばらつきが大きく、ランク指定などにより細分化した後でも２０％程度のばらつきがある。よって、光量の小さなＬＥＤの寿命末期時の光量は、光量の大きなＬＥＤの初期の光量と比べて、４０〜５０％程度小さいことになる。従って、光源にＬＥＤを用いた照明装置では、ＬＥＤの寿命末期時には、初期設定値よりも４０〜５０％程度光量が低下するおそれがある。
【０００８】
一般に、照明装置はただ点灯すればよいというものではなく、所定の光量が要求されることが多い。例えば誘導灯では、ＪＩＬ５５０２（誘導灯器具及び避難誘導システム用装置技術基準）にて、満たすべき表示面の平均輝度が定められている。一例として、表示面の縦寸法が２００ｍｍ以上４００ｍｍ未満であるＢ級の誘導灯で必要とされる平均輝度は、表示面平均輝度が高いＢ級ＢＨ形、表示面平均輝度が低いＢ級ＢＬ形それぞれにおいて、図１０に示すとおりである。従って、例えばＢ級ＢＨ形の避難口誘導灯において、ＬＥＤの寿命末期時に通常時の平均輝度の下限値（５００ｃｄ／ｍ２）を満たすためには、光束減退を４０％とすると、初期の平均輝度を８３３ｃｄ／ｍ２に設定する必要があり、ＪＩＬ５５０２に定められた上限値（８００ｃｄ／ｍ２）を超えてしまうことになる。
【０００９】
このように、ＬＥＤを光源に用いた照明装置では、ＬＥＤの寿命末期時の光束減退のために、所望の光量が得られないおそれがあるという問題があった。
【００１０】
上記のような寿命末期時の光束減退を解消するには、ＬＥＤに流す電流を時間経過に伴って増加させるなどの方法が考えられる。しかし、時間経過に伴う光束の減退率は、素子毎のばらつきが大きく、またＬＥＤ周辺の温度などにも影響される。従って、時間経過に伴う光束減退は、個々のＬＥＤ毎に大きく異なってくる。よって、経過時間に対して一律に電流値を増やす設定にすることは、好ましいものではない。
【００１１】
また、ＬＥＤ素子を上記のようにランク指定などによって細分化するにも、コストが必要である。
【００１２】
本発明は上記事情に鑑みて為されたものであり、ＬＥＤ素子の経年劣化や素子による光量のばらつきがあっても、ＬＥＤを所望の範囲内の光量で発光させることができる照明装置を提供することを目的とする。
【課題を解決するための手段】
【００１３】
上記の目的を達成するために、請求項１の発明は、発光ダイオード及び、底面でこの発光ダイオードと対向し当該発光ダイオードから入射された光を線状の光に変換して側面から出射する導光ロッドを有する点灯部と、側端面で前記導光ロッドの側面と光学的に結合されて、この導光ロッドから入射された線状の光を面状の光に変換して出射する導光板と、この導光板から放射された光によって照明される表示パネルと、商用電源に接続されて前記発光ダイオードを点灯させる点灯装置と、この点灯装置を内部に収容し、前記点灯部及び前記導光板を保持する筐体とを備え、前記点灯部には、前記導光ロッドからの漏れ光を検出することによって前記発光ダイオードの光量を検出する、光量センサーが備えられており、前記点灯装置は、前記光量センサーで検出した光量が所定の目標範囲内に収まるように、前記点灯部を制御することを特徴とする。
【００１４】
請求項１の発明では、発光ダイオードに流す電流などを調整して、光量センサーで検出した発光ダイオードの光量が所定の目標範囲内に収まるように、発光ダイオードを含む点灯部を制御する。発光ダイオードは、経年劣化や素子毎のばらつきの影響によって、同じ電流を流したときでも光量が異なるおそれがあるが、本発明では発光ダイオードの光量が所定の範囲内に収まるように点灯部を制御することで、表示パネルの輝度を所望の範囲内に収めることができる。
【００１５】
請求項２の発明は、請求項１記載の照明装置において、前記筐体の内部には二次電池が備えられており、前記点灯装置は、前記商用電源からの電力供給により前記二次電池を充電する充電回路部と、前記商用電源又は前記二次電池からの電力供給により前記発光ダイオードを点灯させる点灯回路部と、前記発光ダイオードに流すＬＥＤ電流を調整するＬＥＤ電流調整部とを備え、前記ＬＥＤ電流調整部は、前記光量センサーで検出した光量が所定の目標範囲内に収まるように、前記ＬＥＤ電流を調整することを特徴とする。
【００１６】
請求項２の発明では、筐体内に二次電池を備えることで停電時でも発光ダイオードを点灯させることができ、また、ＬＥＤ電流調整部でＬＥＤ電流を調整することによって、発光ダイオードの光量を所定の範囲内に収めることができる。
【００１７】
請求項３の発明は、請求項２記載の照明装置において、前記ＬＥＤ電流調整部は、前記商用電源からの電力供給で前記発光ダイオードを点灯させる場合と、前記二次電池からの電力供給でこの発光ダイオードを点灯させる場合とで、前記光量センサーで検出した光量がそれぞれ異なる目標範囲内に収まるように、前記ＬＥＤ電流を調整することを特徴とする。
【００１８】
請求項３の発明では、商用電源から給電される場合と二次電池から給電される場合とで、光量の目標範囲を異ならしめている。これにより、商用電源から給電される場合と二次電池から給電される場合とで、異なる輝度で表示パネルを照明することができる。よって、例えば本発明を誘導灯に適用した場合には、通常時には商用電源から電力を供給し、非常時には二次電池から電力を供給して、異なる光量でＬＥＤを点灯させることで、通常時・非常時双方において適切にＪＩＬ規格を満たすことができる。
【００１９】
請求項４の発明は、請求項３記載の照明装置において、前記ＬＥＤ電流調整部は、前記ＬＥＤ電流が所定の上限値を超えたときには前記発光ダイオードへの電力供給をなくすように、或いは前記ＬＥＤ電流が前記上限値を超えないように、前記点灯回路部を制御することを特徴とする。
【００２０】
請求項４の発明では、ＬＥＤ電流に上限値を設定することで、発光ダイオードの温度が過度に上昇して許容耐熱を超えることを防ぐことができる。
【００２１】
請求項５の発明は、請求項３記載の照明装置において、前記発光ダイオードの近傍には温度検知素子が備えられており、前記ＬＥＤ電流調整部は、前記温度検知素子の検知温度が所定の値を超えた時には、前記発光ダイオードへの電力供給をなくす或いは前記ＬＥＤ電流を少なくするように、前記点灯回路部を制御することを特徴とする。
【００２２】
請求項５の発明では、発光ダイオードの近傍に温度検知素子を配設し、この温度検知素子で検出した温度が所定の値を超えた時に、ＬＥＤ電流を減少させる。これにより、発光ダイオードの温度が過度に上昇して許容耐熱を超えることを防ぐことができる。
【００２３】
請求項６の発明は、請求項４又は５記載の照明装置において、前記ＬＥＤ電流調整部は、前記商用電源からの電力供給が遮断された場合には、前記発光ダイオードへの電力供給をなくしている場合であっても、前記二次電池からの電力供給によって前記発光ダイオードを点灯させるように前記点灯回路部を制御することを特徴とする。
【００２４】
請求項６の発明では、商用電源が停電したときには、発光ダイオードへの電力供給をなくしている場合（発光ダイオードを消灯している場合）であっても、二次電池からの電力供給によって発光ダイオードを点灯させる。よって、本発明を誘導灯に適用した場合には、非常時において避難者を安全に誘導することができる。
【００２５】
請求項７の発明は、請求項１〜６のいずれか記載の照明装置において、前記点灯部内には、複数の前記発光ダイオードと、これらに対応した複数の前記光量センサーとが備えられ、前記複数の光量センサーは、対応関係にある前記発光ダイオードの光量をそれぞれ選択的に検出することを特徴とする。
【００２６】
請求項７の発明では、複数の発光ダイオードの光量を、対応する光量センサーでそれぞれ選択的に検出することにより、個々の発光ダイオードの光量を各別に調整することができる。
【００２７】
請求項８の発明は、請求項７記載の照明装置において、前記点灯装置は、前記複数の光量センサーで検出した前記複数の発光ダイオードの光量が、それぞれ略等しくなるように前記点灯部を制御し、前記導光板から放射される光が場所によらず略均一となるようにしたことを特徴とする。
【００２８】
請求項８の発明では、複数の発光ダイオードの光量がそれぞれ等しくなるように点灯部を制御することで、導光板から放射される光が場所によらず略均一となり、表示パネルの色ムラを抑制することができる。
【発明の効果】
【００２９】
本発明は、ＬＥＤ素子の経年劣化や素子による光量のばらつきがあっても、ＬＥＤを所望の範囲内の光量で発光させることができる照明装置を提供することができる。
【図面の簡単な説明】
【００３０】
【図１】実施形態１の断面図である。
【図２】同上の分解斜視図である。
【図３】同上のブロック図である。
【図４】（ａ）は、電流一定の場合においてＬＥＤの光量の経時変化を表す図、（ｂ）は、ＬＥＤの光量が一定になるようにＬＥＤ電流を調整したときの、電流値の経時変化を表す図である。
【図５】実施形態１の別の形態の断面図である。
【図６】同上のさらに別の形態の断面図である。
【図７】同上のさらに別の形態の断面図である。
【図８】実施形態２の断面図である。
【図９】同上のブロック図である。
【図１０】ＪＩＬ５５０２で規定された、Ｂ級の誘導灯の必要輝度を表す図である。
【発明を実施するための形態】
【００３１】
以下、本発明の技術的思想を誘導灯に適用した実施形態について説明する。ただし、本発明の技術的思想が適用可能な照明装置は、誘導灯に限定されるものではない。
（実施形態１）
本発明の第１の実施形態を、図１〜図７を参照して説明する。なお、下記説明中での上下左右は図２を基準とし、図２の筐体１から導光板４に向かう向きを前方とする。
【００３２】
本実施形態の照明装置は、図２に示すように、前面開口した略矩形箱形の筐体１の内部に、点灯装置２及び二次電池３を収納し、筐体１の前面を覆うように導光板４、表示パネル５、及び点灯部６を配設してなる。
【００３３】
導光板４は透明アクリル樹脂製であって、上下方向において下側ほど厚さが薄くなるように形成されている。またその後面には、上端面から入射した光を前面に反射するために、ドット印刷などの反射構造が形成されている。
【００３４】
表示パネル５は、透光性を有するアクリル樹脂製であって、上下左右の寸法が導光板４とほぼ等しくなっており、導光板４の前面を覆うように配置される。またその前面には、例えば避難口へ誘導するためのシンボルが表記されている。
【００３５】
導光板４及び表示パネル５は、例えば、左右の幅が筐体１の左右幅とほぼ等しく筐体１の上下幅よりも短い上下幅を有し、導光板４及び表示パネル５が上下方向にスライド自在に嵌合される、図示しないパネルケースによって一体となっている。このパネルケースは、例えばねじ止めによって、あるいは筐体１の左右両側面に形成した嵌合凸部をパネルケースの左右両側面に形成した嵌合凹部に嵌合する嵌合手段によってなどの、適宜の保持手段を用いて筐体１に固定される。パネルケースが固定された状態では、筐体１の上面と表示パネル５の上端縁との間には、点灯部６の上下方向とほぼ等しい隙間が形成される。
【００３６】
なお、導光板４及び表示パネル５を筐体１に固定するには必ずしもパネルケースを用いる必要はない。例えば、筐体１の横幅とほぼ等しい横幅を持つ導光板４と表示パネル５を、接着剤などで結合して、上記のような適宜の保持手段で保持するなどとしてもよい。
【００３７】
点灯部６はランプホルダ７を備え、ランプホルダ７の内部には、図１に示すように、導光ロッド８と、ＬＥＤ（発光ダイオード）９ａ及び９ｂと、光量センサー１０とが配設されている。
【００３８】
ランプホルダ７は、合成樹脂材料から下面が開口した直方体状に形成され、その横幅は筐体１の横幅とほぼ等しくなっている。
【００３９】
導光ロッド８は透明アクリル樹脂製で、上面がＶ字状の反射面８ａである柱状であって、反射面８ａにはＶ溝加工やドット印刷などにより光を反射する反射構造が形成されている。そして、反射面８ａの一部又は全部を粗面化するなどして光が全反射しない部分を設けることで、ランプホルダ７の上面と導光ロッド８の反射面８ａの間に形成された空間６ａ内に、ＬＥＤ９ａ及び９ｂからの光の一定割合であって且つ少量の光を漏らす構成になっている。
【００４０】
ランプホルダ７内には、導光ロッド８の両底面８ｂに対向して、直列接続されたＬＥＤ９ａとＬＥＤ９ｂとが配置される。ＬＥＤ９ａ及び９ｂは、図示しない基板上に導電性接着剤などで固着され、この基板は接着剤やねじなどの固定手段でランプホルダ７に固定される。このＬＥＤ９ａ及び９ｂは、電線Ｗ１及び前記図示しない基板を介して点灯装置４から電力を供給されて、発光する。
【００４１】
空間６ａ内のランプホルダ７の上面には、フォトダイオードなどの光量センサー１０が配設されている。光量センサー１０は、導光ロッド８の反射面８ａからの漏れ光を検出することにより、ＬＥＤ９ａ及び９ｂの光量を検出する。
【００４２】
点灯部６は、導光板４及び表示パネル５が筐体１に取り付けられた状態において、ランプホルダ７の左右両端から後方に突設された差込片（図示せず）を、筐体１上部に形成した差込孔部材（図示せず）に差し込んで、器具本体１に着脱自在に取り付けられる。このとき、点灯部６は筐体１と表示パネル５の隙間を塞ぎ、表示パネル５と点灯部６とで筐体１の前面開口を覆っている。またこのとき、導光ロッド８の下面８ｃが、導光板４の上端面の真上に位置している。
【００４３】
筐体１は、合成樹脂などの絶縁性材料からなり、図示しない取付ねじによって壁面または天井面に取り付けられる。また筐体１内には、電線Ｗ２を介して商用電源ＡＣに接続された点灯装置２と、商用電源ＡＣの停電時に点灯装置２へ給電するための非常用電源であって、電線Ｗ３を介して点灯装置２に接続された二次電池３とが配設されている。
【００４４】
点灯装置２は、図３に示すように、充電回路部１１と、点灯回路部１２と、ＬＥＤ電流調整部１３とを備えている。充電回路部１１は、電線を介して商用電源ＡＣ並びに二次電池３に接続され、商用電源ＡＣから電力を供給されて二次電池３を充電する。点灯回路部１２は、商用電源ＡＣと二次電池３とに接続され、通常は商用電源ＡＣにより給電されて点灯部６を点灯させ、商用電源ＡＣの停電時には二次電池３により給電されて点灯部６を点灯させるように構成されている。ＬＥＤ電流調整部１３は、光量センサー１０で測定した光量を参照して、点灯回路部１２がＬＥＤ９ａ及び９ｂに通電するＬＥＤ電流の電流値を制御する。
【００４５】
次に、本実施形態の動作を説明する。
【００４６】
ＬＥＤ９ａ及び９ｂから放射された光は、これらに対向した導光ロッド８の両底面８ｂから、導光ロッド８へ入射する。この光の一部は反射面８ａから空間６ａ内に放射され、残りの光は、図１の矢印に示すように導光ロッド８の反射面８ａによって下方へと反射され、導光ロッド８の下底面８ｃから線状に放射される。
【００４７】
導光ロッド８の下底面８ｃから導光板４へ向かって線状に放射された光は、図１に示すように、導光板４の上端面から導光板４の内部へ入射する。この光は導光板４の後面で反射され、導光板４の前面から表示パネル５方向へ向かって面状に放射される。なお、導光板４の後方に反射シートを配設し、導光板４の後方へ放射された光を前方へ反射するようにしてもよい。
【００４８】
一般にＬＥＤは、ＬＥＤ電流が一定であれば、図４（ａ）に示すように、総点灯時間が経過すると光量が低下していく。これに対し本実施形態では、反射面８ａから漏れ出た光の光量を光量センサー１０で検出し、この光量をＬＥＤ電流部１３で参照して、光量が所定の値となるようにＬＥＤ電流を調整している。この光量の所定値は、予め表示パネル５の輝度と光量センサー１０で測定した光量との対応関係を求めておき、表示パネル５の輝度が所望の値となるように、また、商用電源ＡＣにより給電される通常時と二次電池３により給電される非常時とで異なった値となるように、調整される。例えばＢ級ＢＨ形の避難口誘導灯であれば、ＪＩＬ５５０２で定められているように、表示パネル５の平均輝度が、商用電源ＡＣから電力を供給される通常時では５００〜８００ｃｄ／ｍ２の範囲の値となるように、二次電池３から電力を供給される停電時などの非常時には１００〜３００ｃｄ／ｍ２の範囲の値となるように、調整される。
【００４９】
上記の構成により、所望の輝度で表示パネル５を照明することができる。
【００５０】
ところで、ＬＥＤの寿命末期時などには、必要な光量を得るためのＬＥＤ電流が図４（ｂ）に示すように増加し、ＬＥＤの接合部の温度が上昇して許容耐熱を超えるおそれがある。そこで本実施形態では、ＬＥＤ電流が予め設定された上限値を超えた場合には、ＬＥＤを消灯させるように設定している。ただし、ＬＥＤを消灯している状態で停電が発生したときには、避難を優先させるためにＬＥＤを点灯させる。なお、停電時（非常時）は通常時に比べて必要な平均輝度が低く設定されているので、ＬＥＤの許容耐熱を超えにくくなっている。
【００５１】
なお、ＬＥＤ電流に上限値を設定する代わりに、図５に示すようにＬＥＤの近傍にサーミスタや熱電対などの温度検知素子１４を備え、温度検知素子１４の検知温度が設定値を超えた場合に、ＬＥＤを消灯させるようにしてもよい。この場合には、照明装置の設置環境によって雰囲気温度に差異があっても、精度よくＬＥＤの接合部温度を検知することができ、ＬＥＤが許容耐熱を超えるおそれが小さくなる。
【００５２】
また、ＬＥＤを消灯させるのではなく、ＬＥＤ電流を少なくして暗く点灯させるようにしてもよい。
【００５３】
なお、上記説明では、導光ロッド８の両底面８ｂにＬＥＤ９ａ及び９ｂを対向するように配置しているが、図６に示すように、ＬＥＤ９ｃを導光ロッド８の片側の底面８ｄに対向配置してもよい。或いは図７に示すように、導光ロッド８の片側の底面８ｄに対向するように、複数のＬＥＤ９ｄを配置してもよい。これらの場合には、導光ロッド８は、図に示すように楔形となる。
【００５４】
本実施形態では、ＬＥＤパッケージの樹脂の経年劣化や、ＬＥＤ素子の光量にばらつきがあっても、一定の光出力を得ることができる。また、点灯部６内に光量センサー１０が配置されているので、照明装置の外観を変える必要がないという利点もある。
（実施形態２）
本発明の第２の実施形態を、図８、図９を参照して説明する。なお、上記実施形態１と共通の構成要素については、同一の符号を付して説明を省略する。
【００５５】
本実施形態は、図８に示すように、Ｖ字型の反射面８ａとランプホルダ７の上面との間に遮光壁１５を設け、遮光壁１５によって２つに分けられた空間６ａのそれぞれの内部に、光量センサー１０ａと光量センサー１０ｂとを配設している。よって、光量センサー１０ａはＬＥＤ９ａの光量を、光量センサー１０ｂはＬＥＤ９ｂの光量を検出することになる。そして、本実施形態のＬＥＤ９ａとＬＥＤ９ｂとは、図９に示すように並列に接続されており、各別にＬＥＤ電流を変化させることができる。点灯装置２は、光量センサー１０ａ及び１０ｂで検出した光量を参照して、ＬＥＤ９ａとＬＥＤ９ｂの光量がほぼ等しくなるように、個々のＬＥＤ電流を調整する。
【００５６】
すなわち本実施形態では、ＬＥＤ９ａ及び９ｂにそれぞれ対応した光量センサー１０ａ及び１０ｂを設けることで、素子毎の光量のばらつきに影響されることなく、導光板４から放射される光が場所に対して略均一となり、表示パネル５の色ムラを抑制することができる。
【００５７】
なお、本実施形態においても、表示パネル５の輝度がＪＩＬ５５０２で規定された所定の範囲内に収まるようにＬＥＤ電流を調整することは、いうまでもない。
【符号の説明】
【００５８】
２    点灯装置
４    導光板
５    表示パネル
６    点灯部
８    導光ロッド
９ａ  ＬＥＤ
９ｂ  ＬＥＤ
１０  光量センサー
【図１】
2011029033.tif 000003
【図２】
2011029033.tif 000004
【図３】
2011029033.tif 000005
【図４】
2011029033.tif 000006
【図５】
2011029033.tif 000007
【図６】
2011029033.tif 000008
【図７】
2011029033.tif 000009
【図８】
2011029033.tif 000010
【図９】
2011029033.tif 000011
【図１０】
2011029033.tif 000012